(57)【要約】【課題】  複数の記録層を持つ情報記録媒体に対する記録動作において、記録が完全に完了していない状態、即ち、記録途中の状態においても、再生専用ディスクとの互換性を保てるようにする。【解決手段】  データの書換えが可能であり、複数の記録層を有する２層ＤＶＤ＋ＲＷのような情報記録媒体２を対象とし、レイヤー０（１層目）の既記録領域（User Data）に対応する２層目の未記録領域に対して所定のタイミングで所定データ（例えば、ダミーデータDummy Data）記録することにより、当該媒体への記録が完了していない状態であっても２層ＤＶＤとの論理互換を確保することができ、再生専用ＤＶＤドライブで正常に読み出しできることを保証することが可能となる。【選択図】    図３
2005093032.tif 000002
【特許請求の範囲】
【請求項１】
ユーザデータを記録するデータ領域を各々有する書換え可能な複数の記録層を有する情報記録媒体に対して記録を行う情報記録方法であって、
第１の記録層の少なくともデータ領域内に既記録領域が存在するか否かを判断する既記録領域有無判断工程と、
前記第１の記録層に前記既記録領域が存在する場合に当該第１の記録層を除く第２の記録層内の、前記既記録領域と同一半径位置に相当する領域のうちの未記録領域に対して前記情報記録媒体に対する記録完了前の所定タイミングで所定のデータを記録する対応未記録領域データ埋込工程と、
を備えることを特徴とする情報記録方法。
【請求項２】
前記対応未記録領域データ埋込工程により前記未記録領域に対して記録する前記所定のデータは、ユーザデータ特性を有するダミーデータである、ことを特徴とする請求項１記載の情報記録方法。
【請求項３】
前記対応未記録領域データ埋込工程により前記未記録領域に対して記録する前記所定のデータは、リードアウト（Lead-out）である、ことを特徴とする請求項１記載の情報記録方法。
【請求項４】
前記対応未記録領域データ埋込工程により前記未記録領域に対して記録する前記所定のデータは、論理的に未記録であることを示す論理消去パターンである、ことを特徴とする請求項１記載の情報記録方法。
【請求項５】
前記対応未記録領域データ埋込工程により前記未記録領域に対して記録する前記所定のタイミングは、ユーザから前記情報記録媒体の排出要求を受けた時点である、ことを特徴とする請求項１ないし４の何れか一記載の情報記録方法。
【請求項６】
前記対応未記録領域データ埋込工程により前記未記録領域に対して記録する前記所定のタイミングは、前記第１の記録層の前記既記録領域へのデータ記録直後の時点である、ことを特徴とする請求項１ないし４の何れか一記載の情報記録方法。
【請求項７】
マルチセッション方式により記録を行う情報記録媒体を対象とし、
前記対応未記録領域データ埋込工程により前記未記録領域に対して記録する前記所定のタイミングは、ユーザからのセッションクローズ要求を受けた時点である、ことを特徴とする請求項１ないし４の何れか一記載の情報記録方法。
【請求項８】
前記対応未記録領域データ埋込工程により前記未記録領域に対して記録する前記所定のタイミングは、ユーザから媒体アクセス要求のない時である、ことを特徴とする請求項１ないし４の何れか一記載の情報記録方法。
【請求項９】
前記未記録領域に対する前記所定データの記録中にユーザから媒体アクセス要求があった場合には、当該所定データの記録動作を中断させる記録動作中断工程を、備えることを特徴とする請求項８記載の情報記録方法。
【請求項１０】
前記情報記録媒体に対するフォーマット処理をバックグラウンドで行うバックグラウンドフォーマット工程を備え、
前記対応未記録領域データ埋込工程により前記未記録領域に対して記録する前記所定のタイミングは、前記情報記録媒体に対するバックグラウンドフォーマット処理中にユーザからバックグラウンドフォーマットの中断要求を受けた時点である、ことを特徴とする請求項１記載の情報記録方法。
【請求項１１】
前記複数の記録層のデータ領域を各々複数の領域に分割し、これらの分割領域に対して複数の記録層間で交互に記録することにより前記情報記録媒体に対するフォーマット処理をバックグラウンドで行うバックグラウンドフォーマット工程を備える、ことを特徴とする請求項１記載の情報記録方法。
【請求項１２】
前記情報記録媒体は、ＤＶＤ＋ＲＷ規格に準拠した情報記録媒体である、ことを特徴とする請求項１ないし１１の何れか一記載の情報記録方法。
【請求項１３】
ユーザデータを記録するデータ領域を各々有する書換え可能な複数の記録層を有する情報記録媒体に対して記録を行う情報記録装置であって、
第１の記録層の少なくともデータ領域内に既記録領域が存在するか否かを判断する既記録領域有無判断手段と、
前記第１の記録層に前記既記録領域が存在する場合に当該第１の記録層を除く第２の記録層内の、前記既記録領域と同一半径位置に相当する領域のうちの未記録領域に対して前記情報記録媒体に対する記録完了前の所定タイミングで所定のデータを記録する対応未記録領域データ埋込手段と、
を備えることを特徴とする情報記録装置。
【請求項１４】
前記対応未記録領域データ埋込手段により前記未記録領域に対して記録する前記所定のデータは、ユーザデータ特性を有するダミーデータである、ことを特徴とする請求項１３記載の情報記録装置。
【請求項１５】
前記対応未記録領域データ埋込手段により前記未記録領域に対して記録する前記所定のデータは、リードアウト（Lead-out）である、ことを特徴とする請求項１３記載の情報記録装置。
【請求項１６】
前記対応未記録領域データ埋込手段により前記未記録領域に対して記録する前記所定のデータは、論理的に未記録であることを示す論理消去パターンである、ことを特徴とする請求項１３記載の情報記録装置。
【請求項１７】
前記対応未記録領域データ埋込手段により前記未記録領域に対して記録する前記所定のタイミングは、ユーザから前記情報記録媒体の排出要求を受けた時点である、ことを特徴とする請求項１３ないし１６の何れか一記載の情報記録装置。
【請求項１８】
前記対応未記録領域データ埋込手段により前記未記録領域に対して記録する前記所定のタイミングは、前記第１の記録層の前記既記録領域へのデータ記録直後の時点である、ことを特徴とする請求項１３ないし１６の何れか一記載の情報記録装置。
【請求項１９】
マルチセッション方式により記録を行う情報記録媒体を対象とし、
前記対応未記録領域データ埋込手段により前記未記録領域に対して記録する前記所定のタイミングは、ユーザからのセッションクローズ要求を受けた時点である、ことを特徴とする請求項１３ないし１６の何れか一記載の情報記録装置。
【請求項２０】
前記対応未記録領域データ埋込手段により前記未記録領域に対して記録する前記所定のタイミングは、ユーザから媒体アクセス要求のない時である、ことを特徴とする請求項１３ないし１６の何れか一記載の情報記録装置。
【請求項２１】
前記未記録領域に対する前記所定データの記録中にユーザから媒体アクセス要求があった場合には、当該所定データの記録動作を中断させる記録動作中断手段を、備えることを特徴とする請求項２０記載の情報記録装置。
【請求項２２】
前記情報記録媒体に対するフォーマット処理をバックグラウンドで行うバックグラウンドフォーマット手段を備え、
前記対応未記録領域データ埋込手段により前記未記録領域に対して記録する前記所定のタイミングは、前記情報記録媒体に対するバックグラウンドフォーマット処理中にユーザからバックグラウンドフォーマットの中断要求を受けた時点である、ことを特徴とする請求項１３記載の情報記録装置。
【請求項２３】
前記複数の記録層のデータ領域を各々複数の領域に分割し、これらの分割領域に対して複数の記録層間で交互に記録することにより前記情報記録媒体に対するフォーマット処理をバックグラウンドで行うバックグラウンドフォーマット手段を備える、ことを特徴とする請求項１３記載の情報記録装置。
【請求項２４】
前記情報記録媒体は、ＤＶＤ＋ＲＷ規格に準拠した情報記録媒体である、ことを特徴とする請求項１３ないし２３の何れか一記載の情報記録装置。
【請求項２５】
ユーザデータを記録するデータ領域を各々有する書換え可能な複数の記録層を有する情報記録媒体に対して記録を行う情報記録装置が備えるコンピュータにインストールされ、前記コンピュータに、
第１の記録層の少なくともデータ領域内に既記録領域が存在するか否かを判断する既記録領域有無判断機能と、
前記第１の記録層に前記既記録領域が存在する場合に当該第１の記録層を除く第２の記録層内の、前記既記録領域と同一半径位置に相当する領域のうちの未記録領域に対して前記情報記録媒体に対する記録完了前の所定タイミングで所定のデータを記録する対応未記録領域データ埋込機能と、
を実行させることを特徴とする情報記録用プログラム。
【請求項２６】
前記対応未記録領域データ埋込機能により前記未記録領域に対して記録する前記所定のデータは、ユーザデータ特性を有するダミーデータである、ことを特徴とする請求項２５記載の情報記録用プログラム。
【請求項２７】
前記対応未記録領域データ埋込機能により前記未記録領域に対して記録する前記所定のデータは、リードアウト（Lead-out）である、ことを特徴とする請求項２５記載の情報記録用プログラム。
【請求項２８】
前記対応未記録領域データ埋込機能により前記未記録領域に対して記録する前記所定のデータは、論理的に未記録であることを示す論理消去パターンである、ことを特徴とする請求項２５記載の情報記録用プログラム。
【請求項２９】
前記対応未記録領域データ埋込機能により前記未記録領域に対して記録する前記所定のタイミングは、ユーザから前記情報記録媒体の排出要求を受けた時点である、ことを特徴とする請求項２５ないし２８の何れか一記載の情報記録用プログラム。
【請求項３０】
前記対応未記録領域データ埋込機能により前記未記録領域に対して記録する前記所定のタイミングは、前記第１の記録層の前記既記録領域へのデータ記録直後の時点である、ことを特徴とする請求項２５ないし２８の何れか一記載の情報記録用プログラム。
【請求項３１】
マルチセッション方式により記録を行う情報記録媒体を対象とし、
前記対応未記録領域データ埋込機能により前記未記録領域に対して記録する前記所定のタイミングは、ユーザからのセッションクローズ要求を受けた時点である、ことを特徴とする請求項２５ないし２８の何れか一記載の情報記録用プログラム。
【請求項３２】
前記対応未記録領域データ埋込機能により前記未記録領域に対して記録する前記所定のタイミングは、ユーザから媒体アクセス要求のない時である、ことを特徴とする請求項２５ないし２８の何れか一記載の情報記録用プログラム。
【請求項３３】
前記未記録領域に対する前記所定データの記録中にユーザから媒体アクセス要求があった場合には、当該所定データの記録動作を中断させる記録動作中断機能を、前記コンピュータに実行させることを特徴とする請求項３２記載の情報記録用プログラム。
【請求項３４】
前記情報記録媒体に対するフォーマット処理をバックグラウンドで行うバックグラウンドフォーマット機能を前記コンピュータに実行させ、
前記対応未記録領域データ埋込機能により前記未記録領域に対して記録する前記所定のタイミングは、前記情報記録媒体に対するバックグラウンドフォーマット処理中にユーザからバックグラウンドフォーマットの中断要求を受けた時点である、ことを特徴とする請求項２５記載の情報記録用プログラム。
【請求項３５】
前記複数の記録層のデータ領域を各々複数の領域に分割し、これらの分割領域に対して複数の記録層間で交互に記録することにより前記情報記録媒体に対するフォーマット処理をバックグラウンドで行うバックグラウンドフォーマット機能を前記コンピュータに実行させる、ことを特徴とする請求項２５記載の情報記録方法。
【請求項３６】
前記情報記録媒体は、ＤＶＤ＋ＲＷ規格に準拠した情報記録媒体である、ことを特徴とする請求項２５ないし３５の何れか一記載の情報記録用プログラム。
【請求項３７】
請求項２５ないし３６の何れか一記載の情報記録用プログラムが格納されたコンピュータ読取り可能な記憶媒体。
【発明の詳細な説明】
【技術分野】
【０００１】
本発明は、２層ＤＶＤ＋ＲＷ（Digital Verstail Disc＋Rewrtable）等の書換え記録可能な多層情報記録媒体を情報記録の対象とする情報記録方法、情報記録装置、情報記録用プログラム及び記憶媒体に関する。
【背景技術】
【０００２】
記録型ＤＶＤディスクとして追記型ＤＶＤディスクであるＤＶＤ＋Ｒや書換え型ＤＶＤディスクであるＤＶＤ＋ＲＷなどがあり、これらのディスクは片面１層の再生専用ＤＶＤディスクと高い再生互換性を持つ記録型ＤＶＤディスクである。このような記録型ディスクは高速化、大容量化のための研究開発が盛んに行われている。
【０００３】
その一つに片面２層の再生専用ＤＶＤディスク（以下、単に「２層ＤＶＤ」という）がある。２層ＤＶＤには、２層目のトラックが１層目と同じように内周から外周に向かっているパラレルトラックパス方式（Parallel Track Path方式＝ＰＴＰ方式）と、２層目のトラックが外周から内周に向かっているオポジットトラックパス方式（Opposite Track Path方式＝ＯＴＰ方式）という２種類の記録方式がある。ＰＴＰ方式では１層目と２層目のデータ領域が開始するアドレスの半径位置が等しく、ともに物理アドレス30000Hから始まる。また、データ領域の後方にはリードアウト領域が配置される。ＯＴＰ方式では２層目のデータ領域が開始するアドレスの半径位置は１層目データ領域が終了するアドレスの半径位置と等しく、２層目のデータ領域開始位置の物理アドレスは１層目のデータ領域終了アドレスをビット反転したアドレスとなっている。１層目と２層目のデータ領域のサイズに差がある場合、その差分領域はリードアウト領域となる。例えば、ＰＴＰディスクにおいて１層目のデータ領域の終了アドレスＤ１と2層目のデータ領域終了アドレスＤ２とがＤ１＞Ｄ２となる場合、差分領域Ｄ１−Ｄ２はリードアウト領域となる。このように、片方の記録層においてデータが記録されている領域は、2層目の対応する領域もデータが記録されている。これは、例えばユーザが１層目のデータを再生する際に、目的アドレスへのシークでたまたま２層目へ読み取りレーザの焦点が合った場合に、同一半径位置の２層目にデータが記録されていないとアドレス情報が取得できないなどの不具合が生じ、結果として１層目のデータが再生できないといった問題が生じることを避けるためである。
【０００４】
一方で、記録可能な情報記録媒体についても高速化、大容量化のための研究開発が盛んに行われており、その一つに２層ＤＶＤとの再生互換性を持った片面２層のＤＶＤ＋Ｒディスク（以下、単に「２層ＤＶＤ＋Ｒ」という）がある。２層ＤＶＤ＋Ｒは記録容量が８．４Gbyteであり、従来の１層ＤＶＤ＋Ｒはデータ容量が４．７Gbyteであるのに対してほぼ2倍の記録容量を有し、記録されたデータは２層ＤＶＤの再生が可能なＤＶＤプレイヤ、或いはＤＶＤ−ＲＯＭドライブで読み出すことができる。
【発明の開示】
【発明が解決しようとする課題】
【０００５】
ここに、２層ＤＶＤ＋Ｒにおける論理アドレスは、１層目のデータ領域の開始アドレスから連続的に割り振られ、１層目のデータ領域終了アドレスから２層目のデータ領域開始アドレスへは論理アドレスが連続している。つまり、ユーザが連続的にデータ記録を行う場合、１層目のデータ領域開始アドレスから記録が開始され、１層目のデータ領域終了アドレスまで記録が完了すると、引き続き２層目のデータ領域開始アドレスから記録を行うことになる。このように、２層ＤＶＤ＋Ｒ記録において、ユーザは記録層を意識することなく記録を行うことが可能となっている。このため、ユーザのデータ記録が２層目のデータ領域の途中、或いは２層目を全く記録することなしに終了する場合が考えられる。例えば、２層目のデータ領域の途中、即ち、２層目のデータ領域内に未記録領域が存在する状態でユーザのデータ記録が完了した場合、２層目のデータ領域内に未記録領域を残したままでは再生専用の２層ＤＶＤディスクと非互換のディスクレイアウトとなってしまう。また、例えばユーザが１層目のデータを再生する際に、目的アドレスへのシークでたまたま２層目へ読み取りレーザの焦点が合った場合に、同一半径位置の２層目にデータが記録されていないとアドレス情報が取得できないなどの不具合が生じ、結果として１層目のデータが再生できないといった問題が生じる。このような不具合は２層目を全く記録することなしにユーザのデータ記録を終了する場合も同様である。
【０００６】
この点、２層ＤＶＤ＋Ｒに関して、２層目の未記録領域を例えばユーザデータ属性を有するダミーデータ、或いはリードアウトで記録することで２層ＤＶＤディスクとの論理的な互換をとり、再生専用ドライブでの読み出しを保証する提案がなされている（未公開）。しかしながら、この提案例による場合、記録が完全に終了した状態では２層ＤＶＤディスクとの互換を取ることができるが、記録途中の状態において２層ＤＶＤディスクとの互換を取ることはできない。
【０００７】
また、例えば、２層ＤＶＤ＋Ｒに関して、データ領域を複数のセッションに分割して記録を行うようにした提案もなされている（未公開）。このような提案例の装置において１層目のデータ領域内に１セッションを記録した場合、従来の１層ＤＶＤ＋Ｒではセッション単位でデータ記録することで再生専用ドライブでの再生互換を保証することが可能であったのに対し、２層ＤＶＤ＋Ｒでは再生専用ドライブでの再生互換を保証することができない。これは１層目の既記録領域と同一半径に位置する２層目のデータ領域にデータが記録されていないためである。
【０００８】
このような問題は、２層ＤＶＤ＋Ｒがデータの書換えができない追記型ディスクであることに起因する。即ち、記録が完全に完了していない状態において２層目の未記録領域をダミーデータ等で記録してしまうと、引き続き行われる記録においてデータが二重書きされることになり、記録したデータが読み出せないという不具合が生じてしまうからである。
【０００９】
本発明の目的は、複数の記録層を持つ情報記録媒体に対する記録動作において、記録が完全に完了していない状態、即ち、記録途中の状態においても、再生専用ディスクとの互換性を保つことができるようにすることである。
【課題を解決するための手段】
【００１０】
請求項１記載の発明は、ユーザデータを記録するデータ領域を各々有する書換え可能な複数の記録層を有する情報記録媒体に対して記録を行う情報記録方法であって、第１の記録層の少なくともデータ領域内に既記録領域が存在するか否かを判断する既記録領域有無判断工程と、前記第１の記録層に前記既記録領域が存在する場合に当該第１の記録層を除く第２の記録層内の、前記既記録領域と同一半径位置に相当する領域のうちの未記録領域に対して前記情報記録媒体に対する記録完了前の所定タイミングで所定のデータを記録する対応未記録領域データ埋込工程と、を備える。
【００１１】
従って、基本的に、データの書換えが可能であり、複数の記録層を有する２層ＤＶＤ＋ＲＷのような情報記録媒体を対象とし、１層目の既記録領域に対応する２層目の未記録領域に対して所定のタイミングで記録することにより、当該媒体への記録が完了していない状態であっても再生専用ドライブでの再生互換を保証することが可能となる。例えば、書換え可能な２層ＤＶＤ＋ＲＷディスクにおいて１層目にデータが記録された場合、所定のタイミングで１層目の既記録領域と同一半径位置に相当する２層目のデータ領域に所定のデータを記録することで、記録途中の状態であっても２層ＤＶＤとの論理互換を確保することができ、再生専用ＤＶＤドライブで正常に読み出しできることを保証することが可能となる。
【００１２】
請求項２記載の発明は、請求項１記載の情報記録方法において、前記対応未記録領域データ埋込工程により前記未記録領域に対して記録する前記所定のデータは、ユーザデータ特性を有するダミーデータである。
【００１３】
従って、所定の未記録領域を埋める所定のデータとして、ユーザデータ属性を有するダミーデータを利用することにより、所定のデータとしてリードアウト（Lead-out）等に制限されることなく所定のデータとしての融通性を持たせ得る上に、リードアウト（Lead-out）自体はその記録層の終了アドレスを規定するための本来の目的で使用することができ、ダミーデータを含めて通常のユーザデータ記録に近い状態にすることができる。
【００１４】
請求項３記載の発明は、請求項１記載の情報記録方法において、前記対応未記録領域データ埋込工程により前記未記録領域に対して記録する前記所定のデータは、リードアウト（Lead-out）である。
【００１５】
従って、所定の未記録領域を埋める所定のデータとして、本来的にデータ領域の後に記録されるリードアウト（Lead-out）を拡大利用することにより、簡単に実現できる。
【００１６】
請求項４記載の発明は、請求項１記載の情報記録方法において、前記対応未記録領域データ埋込工程により前記未記録領域に対して記録する前記所定のデータは、論理的に未記録であることを示す論理消去パターンである。
【００１７】
書換え可能なＣＤ−ＲＷ等では記録領域の消去を行う場合に、物理的に未記録状態に戻すのではなく、論理的に消去されていることを示す論理消去パターンで記録を行う。論理消去パターンで記録された領域は、当該パターンを識別できる情報記録装置にとっては未記録領域であるが、当該パターンを識別できない従来ドライブ装置にとっては記録領域である。そこで、２層目の未記録領域に対して論理消去パターンで記録しておくことで、再生専用ドライブでの再生互換を確保することができるとともに、当該パターンを識別可能な情報記録装置は２層目が未記録であるという状態を媒体上に保持しておくことが可能となる。
【００１８】
請求項５記載の発明は、請求項１ないし４の何れか一記載の情報記録方法において、前記対応未記録領域データ埋込工程により前記未記録領域に対して記録する前記所定のタイミングは、ユーザから前記情報記録媒体の排出要求を受けた時点である。
【００１９】
従って、未記録領域を埋める所定のデータの記録は再生専用ドライブでの再生互換を保証するためのものであるので、情報記録装置にてデータ記録後、当該媒体が排出される時点で記録されていれば良い。
【００２０】
請求項６記載の発明は、請求項１ないし４の何れか一記載の情報記録方法において、前記対応未記録領域データ埋込工程により前記未記録領域に対して記録する前記所定のタイミングは、前記第１の記録層の前記既記録領域へのデータ記録直後の時点である。
【００２１】
従って、媒体排出要求を受けた時点に限らず、ユーザからのデータ記録が行われた場合に、要求されたデータ記録に引き続いて当該既記録領域と同一半径位置にある他の記録層内の未記録領域に所定のデータを記録しても良い。この場合、個々の記録パフォーマンスは落ちることになるが、例えば請求項５の場合と比べると媒体排出処理に要する時間は短時間で済むことになる。
【００２２】
請求項７記載の発明は、請求項１ないし４の何れか一記載の情報記録方法において、マルチセッション方式により記録を行う情報記録媒体を対象とし、前記対応未記録領域データ埋込工程により前記未記録領域に対して記録する前記所定のタイミングは、ユーザからのセッションクローズ要求を受けた時点である。
【００２３】
マルチセッション方式により記録を行う情報記録媒体において、セッションをクローズして記録データの前後にリードイン及びリードアウトを記録する目的は再生専用ドライブでの再生互換を確保するためである。つまり、再生専用ドライブとの互換が必要となる場合に限りセッションをクローズし、再生専用ドライブとの互換が不要である場合はセッションクローズせずに同一セッション内にデータを追記する。従って、情報記録媒体が複数の記録層を有する場合もセッションクローズする際に所定のデータを記録すればよい。このように、マルチセッション方式により記録を行う情報記録媒体を対象とする場合には、セッションクローズ時に所定のデータを記録することで、再生専用ドライブとの再生互換が必要な場合に限り再生互換を保証することが可能となる。また、再生互換が不要な場合は所定データ記録によるパフォーマンス低下を防ぐことが可能となる。
【００２４】
請求項８記載の発明は、請求項１ないし４の何れか一記載の情報記録方法において、前記対応未記録領域データ埋込工程により前記未記録領域に対して記録する前記所定のタイミングは、ユーザから媒体アクセス要求のない時である。
【００２５】
例えば、書換え可能なＤＶＤディスクであるＤＶＤ＋ＲＷでは、ユーザからのデータ記録に先駆けて行われるフォーマット処理をバックグラウンドで行うバックグラウンドフォーマットが採用されている。バックグラウンドフォーマットでは、ユーザからのフォーマット要求に対してリードイン領域の一部を記録（イニシャル処理）しただけでユーザに対しフォーマット完了を通知し、ユーザからのアクセスがない時間に残りの領域をダミーデータで記録を行う。従って、所定のデータ記録もユーザからの媒体アクセスがない時間にバックグラウンドで行っても良い。このように、所定のデータ記録をユーザからの媒体アクセスがない時間にバックグラウンドで行うことで、例えば前述の請求項5、７と比べて媒体排出やセッションクローズに要する時間を短縮することができ、また、ユーザからの記録中には所定のデータ記録を行わないため、例えば請求項６と比べて記録パフォーマンスの低下を防ぐことが可能となる。
【００２６】
請求項９記載の発明は、請求項８記載の情報記録方法において、前記未記録領域に対する前記所定データの記録中にユーザから媒体アクセス要求があった場合には、当該所定データの記録動作を中断させる記録動作中断工程を、備える。
【００２７】
従って、本来のアクセス動作に支障を来たすことなく、未記録領域に対する所定のデータの記録動作を行わせることができる。
【００２８】
請求項１０記載の発明は、請求項１記載の情報記録方法において、前記情報記録媒体に対するフォーマット処理をバックグラウンドで行うバックグラウンドフォーマット工程を備え、前記対応未記録領域データ埋込工程により前記未記録領域に対して記録する前記所定のタイミングは、前記情報記録媒体に対するバックグラウンドフォーマット処理中にユーザからバックグラウンドフォーマットの中断要求を受けた時点である。
【００２９】
例えば、ＤＶＤ＋ＲＷのバックグラウンドフォーマットでは、フォーマット途中の状態であっても媒体を取り出すことが可能となっている。ＤＶＤ＋ＲＷでは媒体取出しの際に一旦バックグラウンドフォーマットの中断処理を行うが、この中断処理において、従来の再生専用ＤＶＤドライブとの互換を取る場合は媒体上に間欠的に記録された既記録領域間の未記録領域をダミーデータで記録して連続的に記録された状態にした後、記録領域の最終アドレスから一時的なリードアウトを記録するようにしている。ここに、複数の記録層を有する情報記録媒体に対してバックグラウンドフォーマットを行う情報記録装置においてもそのフォーマット途中で媒体を取出すことが考えられる。このとき、再生専用ドライブとの再生互換を保証するためには、ＤＶＤ＋ＲＷの場合を例に述べたようなフォーマット中断処理に加えて、他の記録層内の未記録領域に対して所定のデータの記録を行う必要がある。従って、本発明によれば、複数の記録層を有する情報記録媒体に対してバックグラウンドフォーマットを行う場合においてもそのフォーマット途中に再生専用ドライブでの再生互換を保証しつつディスクを取出すことが可能となる。
【００３０】
請求項１１記載の発明は、請求項１記載の情報記録方法において、前記複数の記録層のデータ領域を各々複数の領域に分割し、これらの分割領域に対して複数の記録層間で交互に記録することにより前記情報記録媒体に対するフォーマット処理をバックグラウンドで行うバックグラウンドフォーマット工程を備える。
【００３１】
通常、バックグラウンドフォーマットでは媒体内周から連続的にダミーデータの記録を行う。従って、複数の記録層を有する情報記録媒体に対してバックグラウンドフォーマットを行う請求項１０記載の発明においても、最小の論理アドレスが割り振られている第１の記録層からダミーデータを記録し、当該記録層へのフォーマットが完了した時点で次の記録層のダミーデータ記録を行うことが予想される。しかしながら、バックグラウンドフォーマットにおけるこのような記録順では、フォーマット途中で再生専用ドライブでの互換を保証しつつ媒体を取出すことを考慮すると、バックグラウンドフォーマットの中断処理に時間がかかるという不具合が生じてしまう。これはフォーマット中断処理で所定のデータ記録を行う必要が考慮されていないためである。例えば、前述した第１の記録層のデータ領域に対し、ほぼ全領域がフォーマットによるダミーデータ記録完了した状態でフォーマット中断を行う場合、再生専用ドライブでの互換を保証するためには他の記録層のデータ領域に対してもほぼ全領域を前記所定データで記録しなければならない。この点、本発明のように、バックグラウンドフォーマットにおけるダミーデータ記録において、複数の記録層のデータ領域を分割領域毎に交互に記録することで、フォーマット中断要求があった場合に所定のデータを記録する領域を減らすことができ、フォーマット中断処理を短時間で終了させることが可能となる。
【００３２】
請求項１２記載の発明は、請求項１ないし１１の何れか一記載の情報記録方法において、前記情報記録媒体は、ＤＶＤ＋ＲＷ規格に準拠した情報記録媒体である。
【００３３】
従って、未記録領域の存在が複数の記録層を有する再生専用情報記録媒体との互換性の点で問題となるＤＶＤ＋ＲＷ規格に準拠した情報記録媒体を対象とする場合に好適に適用することができる。
【００３４】
これらの請求項１ないし１２記載の情報記録方法による作用・効果は、請求項１３ないし２４記載の情報記録装置、請求項２５ないし３６記載の情報記録用プログラム、請求項３７記載の記憶媒体によっても、同様に奏することができる。
【発明の効果】
【００３５】
本発明によれば、データの書換えが可能であり、複数の記録層を有する情報記録媒体を対象とし、１層目の既記録領域に対応する２層目の未記録領域に対して所定のデータを所定のタイミングで記録するようにしたので、当該媒体への記録が完了していない状態、即ち、記録途中であっても再生専用ドライブでの再生互換を保証することができる。
【発明を実施するための最良の形態】
【００３６】
本発明を実施するための最良の形態を図面に基づいて説明する。図１は本実施の形態に係る情報記録装置としての光ディスク装置１の概略構成を示すブロック図である。
【００３７】
この光ディスク装置１は、情報記録媒体としての光ディスク２を回転駆動するためのスピンドルモータ３、光ピックアップ装置４、レーザコントロール回路５、モータドライバ６、再生信号処理回路７、サーボコントローラ８、バッファＲＡＭ９、バッファマネージャ１０、インターフェース１１、ＲＯＭ１２、ＣＰＵ１３及びＲＡＭ１４などを備えて構成されている。なお、図１中に示す矢印は代表的な信号や情報の流れを示すものであり、各ブロックの接続関係の全てを表すものではない。
【００３８】
より詳細には、まず、光ディスク２としては、ＤＶＤ＋ＲＷの規格に準拠する片面２層のＤＶＤ＋ＲＷ（以下、単に「２層ＤＶＤ＋ＲＷ」という）を記録対象とする場合への適用例である。
【００３９】
光ピックアップ装置４は、光源としての半導体レーザ、この半導体レーザから出射されるレーザ光を光ディスク２の記録面に導くとともに記録面で反射された戻り光を所定の受光位置まで導く対物レンズ等を含む光学系、受光位置に配置されて戻り光を受光する受光器、及び、駆動系（フォーカシングアクチュエータ、トラッキングアクチュエータ、シークモータ等）（何れも図示せず）などを含んで構成されている。受光器からは、受光量に応じた電流（電流信号）が再生信号処理回路７に出力される。
【００４０】
サーボコントローラ８では、フォーカスエラー信号に基づいて光ピックアップ装置４のフォーカシングアクチュエータを制御する制御信号を生成するとともに、トラックエラー信号に基づいて光ピックアップ装置４のトラッキングアクチュエータを制御する制御信号を生成する。これらの制御信号はサーボコントローラ８からモータドライバ６に出力される。
【００４１】
モータドライバ６では、サーボコントローラ８からの制御信号に基づいて光ピックアップ装置４のフォーカシングアクチュエータ及びトラッキングアクチュエータを駆動する。また、モータドライバ６では、ＣＰＵ１３の指示に基づいて、光ディスク２の線速度が一定となるようにスピンドルモータ３を制御する。さらに、モータドライバ６では、ＣＰＵ１３の指示に基づいて、光ピックアップ装置４用のシークモータを駆動し、光ピックアップ装置４を光ディスク２の目標トラックに向けて半径方向に移動させる。
【００４２】
インターフェース１１は、外部装置となるホスト（例えば、ＰＣ）と双方向の通信インターフェースである。
【００４３】
ＣＰＵ１３は、ＲＯＭ１２、ＲＡＭ１４とともに当該光ディスク装置１が備えるマイクロコンピュータ（コンピュータ）を構成している。記憶媒体としても機能するＲＯＭ１２には、ＣＰＵ１３により解読可能なコードで記述された後述するような情報記録用プログラムを含むプログラムが格納されている。ＣＰＵ１３は、ＲＯＭ１２に格納されているプログラムに従って上述の各部の動作を制御するとともに、制御に必要なデータ等を一時的にＲＡＭ１４に保存する。なお、当該光ディスク装置１の電源が投入されると、ＲＯＭ１２に格納されているプログラムは、ＣＰＵ１３のメインメモリ（図示せず）にロード（インストール）される。
【００４４】
本実施の形態では、対象としている光ディスク２である２層ＤＶＤ＋ＲＷが当該光ディスク装置１がマウントされホスト側からのユーザデータの記録要求があった場合の記録処理制御に特徴があるが、その説明に先立ち、ＤＶＤ＋ＲＷの規格の前提となる再生専用ＤＶＤディスクのレイアウト等について説明する。
【００４５】
まず、図２に再生専用ＤＶＤディスクのレイアウト例を示す。図２（ａ）は片面1層（Single Layer）のディスク（以下、「1層ディスク」という）、図２（ｂ）はＰＴＰ方式の片面２層（Dual Layer）のディスク（以下、「ＰＴＰディスク」という）、図２（ｃ）はＯＴＰ方式の片面２層のディスク（以下、「ＯＴＰディスク」という）の場合を各々示す。
【００４６】
ＤＶＤディスクは、基本的に、リードイン領域（Lead-in Area）、データ領域、リードアウト領域（Lead-out Area）からなるインフォメーション領域（Information Area）を有し、1層ディスク及びＰＴＰディスクの場合は記録層毎にインフォメーション領域を有する。ＯＴＰディスクは１つのインフォメーション領域からなり、各記録層のデータ領域の後方に中間領域（Middle Area）を有する。１層ディスク及びＰＴＰディスクのレイヤー０，１及びＯＴＰディスクのレイヤー０は内周から外周に向けてデータの再生が行われ、ＯＴＰディスクのレイヤー１は外周から内周に向けてデータの再生が行われる。１層ディスク及びＰＴＰディスクの各記録層はリードイン領域からリードアウト領域まで連続した物理アドレス（Physical Sector Number）が割り振られる。一方、ＯＴＰディスクの場合は、リードイン領域からレイヤー０の中間領域まで連続した物理アドレスが割り振られるが、レイヤー１の物理アドレスはレイヤー０の物理アドレスをビット反転したアドレスが割り振られ、中間領域からリードアウト領域まで物理アドレスが増加していく。つまり、レイヤー１におけるデータ領域の開始アドレスはレイヤー０における終了アドレスをビット反転したアドレスとなる。
【００４７】
図２（ｂ）に示すように、ＰＴＰディスクにおけるリードイン領域開始及び終了アドレス、データ領域の開始アドレス、及び、リードアウト領域の終了アドレスは同一半径位置にあり、リードアウト領域の開始アドレス、即ち、データ領域の終了アドレスは記録層毎に異なる場合がある。データ領域の終了アドレスが異なる場合、その差分の領域はリードアウトが記録されている。
【００４８】
一方、図２（ｃ）に示すように、ＯＴＰディスクの場合はリードイン領域の開始アドレスとリードアウト領域の終了アドレス、レイヤー０のデータ領域終了アドレスとレイヤー１のデータ領域開始アドレス、及び、各記録層の中間領域の開始及び終了アドレスは同一半径位置にあり、レイヤー０のデータ領域開始アドレスとレイヤー１のデータ領域終了アドレスは必ずしも一致しない。ＯＴＰディスクの場合もその差分領域にはリードアウトが記録されている。
【００４９】
このような再生専用ＤＶＤディスクのレイアウトに準拠する、例えばＯＴＰ方式による２層ＤＶＤ＋ＲＷ（光ディスク２）に対する本実施の形態の情報記録方法のうち、所定のデータ例等について図３を参照して説明する。本実施の形態では、光ディスク２に対してバックグラウンドフォーマットを行い、バックグラウンドフォーマット中にユーザからのデータ記録を行うものとする。
【００５０】
まず、図３（ａ）は、バックグラウンドフォーマット中にデータ記録が行われている状態を示す。本実施の形態の光ディスク２へのフォーマットでは、リードイン領域（レイヤー０）の一部を記録した後に、ユーザに対してフォーマット完了を通知する。フォーマット完了通知後は、引き続きデータ領域の記録をバックグラウンドで行う。ユーザから記録要求があった場合はバックグラウンドフォーマットを中断し、要求された領域への記録を行う。ここで、図３（ａ）中に示すようにユーザが光ディスク２上のアドレスＢからＥまでデータ記録した状態でディスク排出を行うとする。
【００５１】
図３（ｂ）はバックグラウンドフォーマットを中断してディスク排出する場合のダミーデータ記録を示す。ディスク排出を行う場合、ユーザは光ディスク装置１に対してフォーマット中断要求を行う。フォーマット中断処理では、まず、光ディスク２上に間欠的に記録された領域間の未記録領域をダミーデータで記録して連続的に記録された状態にする。もっとも、本実施の形態では、ユーザデータは連続的に記録されているためこの処理はスキップされる。次に、レイヤー０のデータ領域内で記録されている領域（アドレスＢからＥ）と同一半径位置にあるレイヤー１の未記録領域（アドレスＥ´からＢ´）をユーザデータ属性のダミーデータ（Dammy Data）、例えば、全て０データで記録する。ここで、Ｂ´及びＥ´は各々Ｂ及びＥをビット反転した値とする。また、このときアドレスＥの後方及び、アドレスＥ´の前方（外周方向）に一時的な中間領域（Temporary Middle Area）を記録し、リードアウト領域にリードアウトを記録しても良い。
【００５２】
従って、本実施の形態によれば、基本的に、データの書換えが可能であり、複数の記録層を有する２層ＤＶＤ＋ＲＷのような光ディスク２を対象とし、レイヤー０（１層目）の既記録領域に対応するレイヤー１（２層目）の未記録領域に対して所定のタイミングで記録することにより、当該光ディスク２への記録が完了していない状態であっても再生専用ドライブでの再生互換を保証することが可能となる。即ち、２層ＤＶＤ＋ＲＷディスクにおいてレイヤー０にデータが記録された場合、所定のタイミングでレイヤー０の既記録領域と同一半径位置に相当するレイヤー１のデータ領域に所定のデータを記録することで、記録途中の状態であっても２層ＤＶＤとの論理互換を確保することができ、再生専用ＤＶＤドライブで正常に読み出しできることを保証することが可能となる。この場合、所定の未記録領域を埋める所定のデータとして、ユーザデータ属性を有するダミーデータを利用することにより、所定のデータとしてリードアウト（Lead-out）等に制限されることなく所定のデータとしての融通性を持たせ得る上に、リードアウト（Lead-out）自体はその記録層の終了アドレスを規定するための本来の目的で使用することができ、ダミーデータを含めて通常のユーザデータ記録に近い状態にすることができる。
【００５３】
２層ＤＶＤ＋ＲＷ（光ディスク２）に対する情報記録方法のうち、所定のデータ例に関する別の実施の形態を図４を参照して説明する。本実施の形態では、光ディスク２に対してマルチセッション方式により記録方式を行うものとする。なお、ここでは追記型ＤＶＤディスクであるＤＶＤ＋Ｒのマルチセッション記録方式を適用し、ユーザデータ領域の前にリードイン（ＤＶＤ＋Ｒのマルチセッション記録に従って、２セッション目以降のリードインをイントロ（Intro）と呼ぶ）を記録し、ユーザデータ領域の後方にリードアウト（同様に最終セッションより前のリードアウトをクロージャ（Closure）と呼ぶ）を記録する。
【００５４】
図４（ａ）は、第１セッションにデータが記録されている（アドレスＢからＥ）状態を示し、この状態でユーザからセッションクローズの要求を受けたとする。
【００５５】
図４（ｂ）はセッションクローズにおけるリードアウト記録を示す。セッションクローズ処理では、まず、レイヤー０のデータ領域内で記録されている領域（アドレスＢからＦ）と同一半径位置にあるレイヤー１の未記録領域（アドレスＦ´からＢ´）をリードアウト（Lead-out）で記録する。次に、リードイン領域を記録して、レイヤー０内に記録されたデータ領域（アドレスＢからＥ）に続けてクロージャ（Closure）が記録される（アドレスＥからＦ）。さらに、レイヤー１においてはアドレスＦ´からＥ´、及びリードアウト領域についてもリードアウトを記録する。ここで、Ｂ´、Ｅ´及びＦ´は各々Ｂ、Ｅ及びＦをビット反転した値とする。本実施の形態ではレイヤー１内のリードアウト記録を分割して行ったが、連続して記録しても良い。
【００５６】
なお、図４（ｂ）に示す状態（レイヤー１が全てリードアウト、中間領域が存在しないなど）は厳密には２層ＤＶＤとの論理互換が取れてはいないが、少なくともレイヤー０にのみデータが記録された状態ではないため再生専用ＤＶＤドライブにてレイヤー０のデータを正常に読み出すことが可能である。本実施の形態の光ディスク２はデータの上書きが可能であるため、データ記録が完全に終了した時点で２層ＤＶＤとの論理互換をとるフォーマットに記録すればよい。
【００５７】
従って、本実施の形態による場合も、図３で説明した場合と同様に、２層ＤＶＤ＋ＲＷディスクにおいてレイヤー０にデータが記録された場合、所定のタイミングでレイヤー０の既記録領域と同一半径位置に相当するレイヤー１のデータ領域に所定のデータを記録することで、記録途中の状態であっても２層ＤＶＤとの論理互換を確保することができ、再生専用ＤＶＤドライブで正常に読み出しできることを保証することが可能となるわけであるが、特に、所定の未記録領域を埋める所定のデータとして、本来的にデータ領域の後に記録されるリードアウト（Lead-out）を拡大利用することにより、簡単に実現することができる。
【００５８】
２層ＤＶＤ＋ＲＷ（光ディスク２）に対する情報記録方法のうち、所定のデータ例に関するさらに別の実施の形態を図５を参照して説明する。本実施の形態では、図４で説明した場合と同様に、光ディスク２に対してマルチセッション方式にて記録を行うものとする。
【００５９】
図５（ａ）は第１セッションにデータが記録されている（アドレスＢからＥ）状態を示し、この状態でユーザからセッションクローズの要求を受けたとする。
【００６０】
図５（ｂ）はセッションクローズにおける論理消去パターン記録を示す。セッションクローズ処理では、まず、レイヤー０のデータ領域内で記録されている領域（アドレスＢからＥ）と同一半径位置にあるレイヤー１の未記録領域（アドレスＥ´からＢ´）を論理消去パターンで記録する。次に、リードイン領域を記録し、レイヤー０内に記録されたデータ領域（アドレスＢからＥ）に続けてクロージャ（Closure）が記録される（アドレスＥからＦ）。さらに、レイヤー１においてはアドレスＦ´からＥ´、及びリードアウト領域についても所定のデータとして論理消去パターンを記録する。ここで、Ｂ´、Ｅ´及びＦ´は各々Ｂ、Ｅ及びＦをビット反転した値とする。本実施の形態ではレイヤー１内の論理消去パターン記録を分割して行ったが、連続して記録しても良い。また、リードアウト領域は論理消去パターンでなくリードアウトを記録しても良い。
【００６１】
なお、図５（ｂ）に示す状態（リードアウト、中間領域が存在しないなど）は厳密には２層ＤＶＤとの論理互換が取れてはいないが、少なくともレイヤー０にのみデータが記録された状態ではないため再生専用ＤＶＤドライブにてレイヤー０のデータを正常に読み出すことは可能である。本情報記録媒体はデータの上書きが可能であるため、データ記録が完全に終了した時点で２層ＤＶＤとの論理互換をとるフォーマットに記録すればよい。
【００６２】
書換え可能なＣＤ−ＲＷ等では記録領域の消去を行う場合に、物理的に未記録状態に戻すのではなく、論理的に消去されていることを示す論理消去パターンで記録を行う。論理消去パターンで記録された領域は、当該パターンを識別できる光ディスク装置にとっては未記録領域であるが、当該パターンを識別できない従来ドライブ装置にとっては記録領域である。そこで、本実施の形態のように、２層目の未記録領域に対して論理消去パターンで記録しておくことで、再生専用ドライブでの再生互換を確保することができるとともに、当該パターンを識別可能な光ディスク装置１は２層目が未記録であるという状態を媒体上に保持しておくことが可能となる。
【００６３】
２層ＤＶＤ＋ＲＷ（光ディスク２）に対する情報記録方法のうち、所定のデータを記録するタイミング制御例の実施の形態を図６を参照して説明する。本実施の形態では、処理を簡素化するためユーザからの記録はレイヤー０のデータ領域開始アドレスから連続的に記録するものとし、ディスク排出要求時にはレイヤー０のみデータが記録されているものとする。
【００６４】
まず、処理が開始されると（ステップＳ１）、ユーザからの記録要求があるかどうかを判定する（Ｓ２）。ユーザからの記録要求があった場合（Ｓ２のＹ）、要求された領域への記録を行う（Ｓ３）。ユーザからの記録要求がなかった場合は（Ｓ２のＮ）、ステップＳ３の処理がスキップされる。次に、ユーザからディスク排出要求があるかどうかを判定する（Ｓ４）。ディスク排出要求がなければ（Ｓ４のＮ）、再びユーザからの記録要求を待つ（Ｓ２）。一方、ユーザからディスク排出要求があった場合（Ｓ４のＹ）、レイヤー０内における記録領域を検出する（Ｓ５）。このステップＳ５の処理が、既記録領域有無判断工程、既記録領域有無判断手段、既記録領域有無判断機能として実行される。
【００６５】
この時、レイヤー０のアドレスＡからＢまでが既記録領域であったとした場合、レイヤー１のアドレスＢ´からＡ´を所定データとしてユーザデータ属性のダミーデータ（Dammy Data）、或いは、リードアウト（Lead-out）、又は論理消去パターンで記録し（Ｓ６）、光ディスク２を排出し（Ｓ７）、処理を終了する（Ｓ８）。ステップＳ６の処理が、対応未記録領域データ埋込工程、対応未記録領域データ埋込手段、対応未記録領域データ埋込機能として実行される。
【００６６】
なお、本実施の形態ではリードイン領域（レイヤー０）及びリードアウト領域（レイヤー１）及び中間領域（レイヤー０、1）の記録については特に考慮していないが、ディスク排出時に各々の領域を記録しても良い。
【００６７】
従って、未記録領域を埋める所定のデータの記録は再生専用ドライブでの再生互換を保証するためのものであるので、ステップＳ６により未記録領域に対して記録する所定のタイミングは、本実施の形態のように、当該光ディスク装置１においてデータ記録後、ユーザから当該光ディスク２の排出要求を受けた時点（ステップＳ５）であれば十分である。
【００６８】
２層ＤＶＤ＋ＲＷ（光ディスク２）に対する情報記録方法のうち、所定のデータを記録するタイミング制御例の別の実施の形態を図７を参照して説明する。本実施の形態では、図６の場合と同様に、処理を簡素化するためユーザからの記録はレイヤー０のデータ領域開始アドレスから連続的に記録するものとし、ディスク排出要求時にはレイヤー０のみデータが記録されているものとする。
【００６９】
まず、処理が開始されると（Ｓ１１）、ユーザからの記録要求があるかどうかを判定する（Ｓ１２）。ユーザからの記録要求があった場合（Ｓ１２のＹ）、要求された領域への記録を行った後（Ｓ１３）、当該既記録領域と同一半径にあるレイヤー１の領域を記録する（Ｓ１４）。ステップＳ１２，Ｓ１３の処理が、既記録領域有無判断工程、既記録領域有無判断手段、既記録領域有無判断機能として実行され、ステップＳ１４の処理が、対応未記録領域データ埋込工程、対応未記録領域データ埋込手段、対応未記録領域データ埋込機能として実行される。ユーザからの記録要求がなかった場合は（Ｓ１２のＮ）、ステップＳ１３，Ｓ１４の処理がスキップされる。次に、ユーザからディスク排出要求があるかどうかを判定する（Ｓ１４）。ディスク排出要求がなければ（Ｓ１４のＮ）、再びユーザからの記録要求を待つ（Ｓ１２）。一方、ユーザからディスク排出要求があった場合（Ｓ１４のＹ）、ディスクを排出し（Ｓ１７）、処理を終了する（Ｓ８）。
【００７０】
本実施の形態ではリードイン領域（レイヤー０）及びリードアウト領域（レイヤー１）及び中間領域（レイヤー０、1）の記録については特に考慮していないが、ディスク排出時に各々の領域を記録しても良い。
【００７１】
このように、本実施の形態によれば、記録要求があった場合に当該既記録領域と同一半径に位置するレイヤー１内の未記録領域をその都度記録するため、図６の方法と比べて個々の記録要求に対するパフォーマンスは落ちるが、ディスク排出要求に対する処理は向上させることができる。
【００７２】
２層ＤＶＤ＋ＲＷ（光ディスク２）に対する情報記録方法のうち、所定のデータを記録するタイミング制御例の他の実施の形態を図８を参照して説明する。本実施の形態では、書換え可能な２層ＤＶＤ＋ＲＷに対する記録に追記型ＤＶＤディスクであるＤＶＤ＋Ｒのマルチセッション記録を適用し、ユーザデータ領域の前にリードイン（ＤＶＤ＋Ｒのマルチセッション記録に従って、２セッション目以降のリードインをイントロ（Intro）と呼ぶ）が記録され、ユーザデータ領域の後方に（同様に最終セッションより前のリードアウトをクロージャ（Closure）と呼ぶ）が記録されるものとする。また、所定データとして図５で示した論理消去パターンを記録するものとする。さらに、図６の場合と同様に、処理を簡素化するためユーザからの記録はレイヤー０のデータ領域開始アドレスから連続的に記録するものとし、セッションクローズ時にはレイヤー０のみデータが記録されているものとする。
【００７３】
まず、処理が開始されると（Ｓ２１）、ユーザからの記録要求があるかどうかを判定する（Ｓ２２）。ユーザからの記録要求があった場合（Ｓ２２のＹ）、要求された領域への記録を行う（Ｓ２３）。ユーザからの記録要求がなかった場合は（Ｓ２２のＮ）、ステップＳ２３の処理がスキップされる。次に、ユーザからセッションクローズ要求があるかどうかを判定する（Ｓ２４）。セッションクローズ要求がなければ（Ｓ２４のＮ）、ユーザからディスク排出要求があるかどうかを判定する（Ｓ２９）。ディスク排出要求がなければ（Ｓ２９のＮ）、再びユーザからの記録要求を待つ（Ｓ２２）。以上の処理を繰返してデータ記録を行うが、ここで、図５（ａ）に示したような位置までデータ記録が行われた時点で、ユーザからセッションクローズ要求があったとする（Ｓ２４のＹ）。この場合、図５（ｂ）に示すように、まず、リードイン領域（レイヤー０）を記録し（Ｓ２５）、続いてクロージャ（レイヤー０）を記録する（Ｓ２６）。次に、レイヤー０内の既記録領域を取得する（Ｓ２７）。図５の例では、アドレスＡからＦまでが記録されている。ステップＳ２７の処理が、既記録領域有無判断工程、既記録領域有無判断手段、既記録領域有無判断機能として実行される。次に、レイヤー０内の既記録領域と同一半径位置にあるレイヤー１内の領域（アドレスＦ´からＡ´）を論理消去パターンで記録を行う（Ｓ２８）。ステップＳ２８の処理が、対応未記録領域データ埋込工程、対応未記録領域データ埋込手段、対応未記録領域データ埋込機能として実行される。以上が、セッションクローズ処理である。引き続き、ユーザからディスク排出要求があるかどうかを確認し（Ｓ２９）、ディスク排出要求があった場合は（Ｓ２９のＹ）、ディスクを排出して（Ｓ３０）、処理を終了する（Ｓ３１）。ディスク排出要求がなければ（Ｓ２９のＮ）、再びユーザからの記録要求を待つ（Ｓ２２）。ここでユーザからの記録要求があった場合は新規セッションへの記録となる。一方、ステップＳ２４においてユーザからのセッションクローズ要求がなく、ステップＳ２９においてディスク排出要求があった場合、ユーザは再生専用ＤＶＤドライブでの再生互換を必要としないということであり、ステップＳ２５からステップＳ２８の処理をスキップして図５（ａ）の状態のままディスク排出する。
【００７４】
２層ＤＶＤ＋ＲＷ（光ディスク２）に対する情報記録方法のうち、バックグラウンドフォーマット処理を伴う実施の形態を図９及び図１０を参照して説明する。本実施の形態の概要を説明すると、２層ＤＶＤ＋ＲＷ（光ディスク２）に対しバックグラウンドフォーマットによりフォーマットを行い、かつ、そのフォーマット中にユーザから記録要求を受けた場合はフォーマット処理を中断してデータ記録を行う。また、レイヤー１への所定データ記録はバックグラウンドフォーマットによるダミーデータ記録としてユーザからのディスクアクセス要求がない場合に行い、所定データ記録中にユーザから記録要求があった場合は所定データ記録を中断してユーザが要求する記録を行う。また、バックグラウンドフォーマットによるダミーデータ記録は図９（ａ）に示すようにデータ領域をＮ分割し、分割領域毎にレイヤー０、レイヤー１を交互に記録する。ユーザからフォーマット中断要求があった場合はレイヤー１内の所定データ記録を完了させて、一時的な中間領域、リードアウトを記録する。なお、説明を簡素化するためユーザからの記録はレイヤー０内のアドレスであるとする。
【００７５】
図９（ａ）は、２層ＤＶＤ＋ＲＷ（光ディスク２）に対しフォーマットを開始した状態を示している。図中の破線は記録層毎に連続してダミーデータ記録を行う記録単位を示す。バックグラウンドフォーマットではリードイン領域の一部を記録（イニシャル処理）しただけでユーザからの記録が可能となる。
【００７６】
図９（ｂ）は、ユーザから要求されたデータを記録した状態を示している。バックグラウンドフォーマット中にユーザから記録要求があった場合はフォーマット処理（ダミーデータ記録）を中断して、要求されたデータを記録する。
【００７７】
図９（ｃ）は、ユーザデータ記録完了後にバックグラウンドフォーマットを再開した状態を示している。バックグラウンドフォーマットにおけるダミーデータ記録は所定の分割領域毎にレイヤー０とレイヤー１とを交互に記録する。ここに、ユーザからのアクセス要求がない場合に所定データ記録を行うが、ここではフォーマット処理におけるダミーデータ記録としてその機能を代用している。
【００７８】
図９（ｄ）は、レイヤー１の所定データ記録（フォーマットにおけるダミーデータ記録）中にユーザから記録要求を受けた状態を示している。図９（ｃ）においてフォーマットにおける所定記録単位のダミーデータ記録が完了した場合は、次の記録単位である領域をレイヤー０、レイヤー１の順番で記録する。ここで、レイヤー１をダミーデータで記録中にユーザから記録要求を受けた場合、ダミーデータ記録を中断して要求されたデータ記録を行う。
【００７９】
図９（ｅ）は、ユーザデータ記録完了後に所定データ記録（フォーマットにおけるダミーデータ記録）を再開した状態を示している。
【００８０】
図９（ｆ）は、ユーザからフォーマット中断要求を受けた状態を示す。フォーマット中断では、まず、レイヤー０における最終記録領域を検出し、この領域よりも内周に存在する未記録領域をダミーデータで記録する。ここではレイヤー１の領域がダミーデータで記録される。データ領域内のダミーデータ記録が完了すると、最終記録領域に続けて（外周方向）一時的な中間領域を記録し、さらにリードアウト領域にリードアウトを記録する。
【００８１】
なお、所定のデータ記録としては、本実施の形態ではバックグラウンドフォーマットにおけるダミーデータ記録としてその処理を代用しているが、バックグラウンドフォーマット行わない記録装置においても、所定のデータ記録をバックグラウンドで行うことは可能である。
【００８２】
ここで、このような記録動作に関する処理制御例を図１０に示す概略フローチャートを参照して説明する。ここでは、レイヤー１への所定のデータ記録はバックグラウンドフォーマットによるダミーデータ記録としてユーザからのディスクアクセス要求がない場合に行うものとする。また、説明を簡素化するためユーザからの記録はレイヤー０内のアドレスであるとする。
【００８３】
まず、ユーザからフォーマット要求があった場合（Ｓ４１）、リードイン領域の一部を記録して（Ｓ４２）、ユーザに対しフォーマット完了を通知し（Ｓ４３）、バックグラウンドフォーマットを開始する（Ｓ４４）。バックグラウンドフォーマットにおけるデータ領域のダミーデータ記録をディ・アイス（De-ice）と呼ぶ。バックグラウンドフォーマット開始後はユーザからランダムにデータ記録が可能となる。次に、ユーザから記録要求があるかどうかを判定する（Ｓ４５）。ユーザから記録要求があった場合（Ｓ４５のＹ）、バックグラウンドフォーマット中であるかどうかを判定し（Ｓ４６）、フォーマット中であった場合（Ｓ４６のＹ）は、バックグラウンドフォーマットを中断して（Ｓ４７）、要求されたデータ記録を行う（Ｓ４８）。ステップＳ４１〜Ｓ４８の処理が、バックグラウンドフォーマット工程、バックグラウンドフォーマット手段、バックグラウンドフォーマット機能として実行される。
【００８４】
バックグラウンドフォーマット中でなければ（Ｓ４６のＮ）、ステップＳ４７の処理はスキップされる。一方、ユーザから記録要求がなかった場合（Ｓ４５のＮ）、ユーザからフォーマット中断要求があるかどうかを判定する（Ｓ４９）。フォーマット中断要求がなければ（Ｓ４９のＮ）、バックグラウンドフォーマット中かどうかを判定する（Ｓ５０）。ここで、バックグラウンドフォーマット中であった場合は（Ｓ５０のＹ）、再びユーザからの記録要求を待つ（Ｓ４５）。一方、バックグラウンドフォーマット中でなければ（Ｓ５０のＮ）、バックグラウンドフォーマット開始処理へ移行する。
【００８５】
ここではまず、バックグラウンドフォーマットの開始アドレスから当該アドレスを含む分割領域Ｎを検索する（Ｓ５１）。次に、レイヤー１内の分割領域１からＮ−１までのうち未記録領域が存在するかどうかを判定する（Ｓ５２）。ここで、分割領域Ｍ（Ｍはレイヤー１の分割領域、０≦Ｍ＜Ｎ−１）内に未記録領域が存在した場合（Ｓ５２のＹ）、バックグラウンド開始アドレスを分割領域Ｍの未記録アドレスに変更し（Ｓ５３）、バックグラウンドフォーマットを開始する（Ｓ５４）。
【００８６】
一方、レイヤー１内の分割領域１からＮ−１に未記録領域が存在しない場合（Ｓ５２のＮ）、ステップＳ５３をスキップして分割領域Ｎ（レイヤー０）の未記録領域からバックグラウンドフォーマットを開始する（Ｓ５４）。
【００８７】
ところで、ユーザからフォーマット中断要求があった場合は（Ｓ４９のＹ）、フォーマット中断処理へ移行する。ここではまず、バックグラウンドフォーマット中かどうかを判定し（Ｓ５５）、フォーマット中であれば（Ｓ５５のＹ）、バックグラウンドフォーマットを中断する（Ｓ５６）。フォーマット中でなければ（Ｓ５５のＮ）、ステップＳ５６はスキップされる。ステップＳ５５，Ｓ５６の処理が、記録動作中断工程、記録動作中断手段、記録動作中断機能として実行される。
【００８８】
次に、最終既記録アドレスを取得し（Ｓ５７）、このアドレスまでの分割領域のうち、未記録領域が存在する分割領域を検索する（Ｓ５８）。ステップＳ５８の処理が、既記録領域有無判断工程、既記録領域有無判断手段、既記録領域有無判断機能として実行される。この結果、該当する分割領域があるかどうかを判定し（Ｓ５９）、該当する分割領域があったら（Ｓ５９のＹ）、当該分割領域内の未記録領域をダミーデータで記録する（Ｓ６０）。ステップＳ６０の処理が、対応未記録領域データ埋込工程、対応未記録領域データ埋込手段、対応未記録領域データ埋込機能として実行される。当該領域の記録が完了したら、他の領域内に未記録領域が存在する分割領域を再度検索する（Ｓ５８）。このように、ステップＳ５８からステップＳ６０を繰返して、最終既記録アドレスまでの分割領域を全て記録する。この結果、未記録領域を含む分割領域がなくなった場合（Ｓ５９のＮ）、最終既記録アドレスから一時的な中間領域を記録し（Ｓ６１）、さらにリードアウト領域へリードアウトを記録して（Ｓ６２）、フォーマット処理を終了する（Ｓ６３）。
【００８９】
なお、本実施の形態では、バックグラウンドフォーマットにおけるダミーデータ記録としてその処理を代用しているが、バックグラウンドフォーマット行わない記録装置においても、所定のデータ記録をバックグラウンドで行うことは可能である。
【００９０】
即ち、書換え可能なＤＶＤディスクであるＤＶＤ＋ＲＷでは、ユーザからのデータ記録に先駆けて行われるフォーマット処理をバックグラウンドで行うバックグラウンドフォーマットが採用されている。バックグラウンドフォーマットでは、ユーザからのフォーマット要求に対してリードイン領域の一部を記録（イニシャル処理）しただけでユーザに対しフォーマット完了を通知し、ユーザからのアクセスがない時間に残りの領域をダミーデータで記録を行う。従って、本実施の形態のように、所定のデータ記録もユーザからの媒体アクセスがない時間にバックグラウンドで行っても良い。このように、所定のデータ記録をユーザからの媒体アクセスがない時間にバックグラウンドで行うことで、媒体排出やセッションクローズに要する時間を短縮することができ、また、ユーザからの記録中には所定のデータ記録を行わないため、記録パフォーマンスの低下を防ぐことが可能となる。また、このような未記録領域に対する所定データの記録中にユーザから媒体アクセス要求があった場合には、当該所定データの記録動作を中断させるので、本来のアクセス動作に支障を来たすことなく、未記録領域に対する所定のデータの記録動作を行わせることができる。
【００９１】
また、例えば、ＤＶＤ＋ＲＷのバックグラウンドフォーマットでは、フォーマット途中の状態であっても媒体を取り出すことが可能となっている。ＤＶＤ＋ＲＷでは媒体取出しの際に一旦バックグラウンドフォーマットの中断処理を行うが、この中断処理において、従来の再生専用ＤＶＤドライブとの互換を取る場合は媒体上に間欠的に記録された既記録領域間の未記録領域をダミーデータで記録して連続的に記録された状態にした後、記録領域の最終アドレスから一時的なリードアウトを記録するようにしている。ここに、複数の記録層を有する情報記録媒体に対してバックグラウンドフォーマットを行う情報記録装置においてもそのフォーマット途中で媒体を取出すことが考えられる。このとき、再生専用ドライブとの再生互換を保証するためには、ＤＶＤ＋ＲＷの場合を例に述べたようなフォーマット中断処理に加えて、他の記録層内の未記録領域に対して所定のデータの記録を行う必要がある。従って、本実施の形態によれば、複数の記録層を有する光ディスク２に対してバックグラウンドフォーマットを行う場合においてもそのフォーマット途中に再生専用ドライブでの再生互換を保証しつつディスクを取出すことが可能となる。
【００９２】
ところで、通常、バックグラウンドフォーマットでは媒体内周から連続的にダミーデータの記録を行う。従って、複数の記録層を有する光ディスク２に対してバックグラウンドフォーマットを行う場合、最小の論理アドレスが割り振られている第１の記録層からダミーデータを記録し、当該記録層へのフォーマットが完了した時点で次の記録層のダミーデータ記録を行うことが予想される。しかしながら、バックグラウンドフォーマットにおけるこのような記録順では、フォーマット途中で再生専用ドライブでの互換を保証しつつ媒体を取出すことを考慮すると、バックグラウンドフォーマットの中断処理に時間がかかるという不具合が生じてしまう。これはフォーマット中断処理で所定のデータ記録を行う必要が考慮されていないためである。例えば、前述した第１の記録層のデータ領域に対し、ほぼ全領域がフォーマットによるダミーデータ記録完了した状態でフォーマット中断を行う場合、再生専用ドライブでの互換を保証するためには他の記録層のデータ領域に対してもほぼ全領域を前記所定データで記録しなければならない。この点、複数の記録層のデータ領域を各々複数の領域に分割し、これらの分割領域に対して複数の記録層間で交互に記録することにより前記情報記録媒体に対するフォーマット処理をバックグラウンドで行い、未記録領域に対して記録する所定のタイミングを、光ディスク２に対するバックグラウンドフォーマット処理中にユーザからバックグラウンドフォーマットの中断要求を受けた時点とすれば、バックグラウンドフォーマットにおけるダミーデータ記録において、複数の記録層のデータ領域を分割領域毎に交互に記録することで、フォーマット中断要求があった場合に所定のデータを記録する領域を減らすことができ、フォーマット中断処理を短時間で終了させることが可能となる。
【００９３】
図１１に、バックグラウンドフォーマットをこのような方法で行った場合と、レイヤー０から連続的に行った場合とで、フォーマット中断処理にて所定データ記録が必要な範囲の違いを示す。
【００９４】
図１１（ａ１）はバックグラウンドフォーマットをレイヤー０から連続的に行う場合である。ここで、レイヤー０のデータ領域をほぼ全面記録した時点で、ユーザからフォーマット中断要求を受けたとする。このとき、図１１（ａ２）に示すように、レイヤー０内の既記録領域と同一半径位置にあるレイヤー１内のデータ領域を記録するためにはレイヤー１のデータ領域についてもほぼ全面記録しなければならず、フォーマット中断処理に長時間を要することになる。
【００９５】
一方、図１１（ｂ１）は本実施の形態で行うバックグラウンドフォーマット例を示している。ここではデータ領域を７分割し（図中の破線領域）、分割領域毎にレイヤー０とレイヤー１のデータ領域を交互に記録していく。従って、レイヤー０内の記録の進み具合は図（a-1）の場合と比べて遅くなっている。ここで、図１１（ｂ１）に示した時点でユーザからフォーマット中断要求を受けたとする。この場合、図１１（ｂ２）に示すように、フォーマット中断処理で記録しなければならない領域（レイヤー０内の既記録領域と同一半径位置にあるレイヤー１内の未記録領域）は図１１（ａ２）の場合と比べて極わずかであることが分かる。従って、バックグラウンドフォーマット中にディスク排出する場合に、本実施の形態によれば、フォーマット中断処理を短時間で終了させることが可能となる。
【００９６】
なお、前述した実施の形態は、何れもＯＴＰ方式への適用例として説明したが、ＰＴＰ方式についても同様に適用することができる。
【図面の簡単な説明】
【００９７】
【図１】本発明の一実施の形態の光ディスク装置の概略構成を示すブロック図である。
【図２】再生専用ＤＶＤディスクのレイアウト例を示す説明図である。
【図３】ＯＴＰ方式による２層ＤＶＤ＋ＲＷに対する情報記録方法のデータ例の実施の形態を模式的に示す説明図である。
【図４】ＯＴＰ方式による２層ＤＶＤ＋ＲＷに対する情報記録方法のデータ例の別の実施の形態を模式的に示す説明図である。
【図５】ＯＴＰ方式による２層ＤＶＤ＋ＲＷに対する情報記録方法のデータ例の他の実施の形態を模式的に示す説明図である。
【図６】ＯＴＰ方式による２層ＤＶＤ＋ＲＷに対する情報記録方法のタイミング制御例の実施の形態を模式的に示す概略フローチャートである。
【図７】ＯＴＰ方式による２層ＤＶＤ＋ＲＷに対する情報記録方法のタイミング制御例の別の実施の形態を模式的に示す概略フローチャートである。
【図８】ＯＴＰ方式による２層ＤＶＤ＋ＲＷに対する情報記録方法のタイミング制御例の他の実施の形態を模式的に示す概略フローチャートである。
【図９】ＯＴＰ方式による２層ＤＶＤ＋ＲＷに対するバックグラウンドフォーマット処理例の実施の形態を模式的に示す説明図である。
【図１０】その処理制御例の実施の形態を模式的に示す概略フローチャートである。
【図１１】連続処理の場合を対比させて示す分割領域毎の処理制御例を説明するための説明図である。
【符号の説明】
【００９８】
２      情報記録媒体
【図１】
2005093032.tif 000003
【図２】
2005093032.tif 000004
【図３】
2005093032.tif 000005
【図４】
2005093032.tif 000006
【図５】
2005093032.tif 000007
【図６】
2005093032.tif 000008
【図７】
2005093032.tif 000009
【図８】
2005093032.tif 000010
【図９】
2005093032.tif 000011
【図１０】
2005093032.tif 000012
【図１１】
2005093032.tif 000013